(57)【要約】      （修正有）【課題】燈明を点滅させる者がその操作のためだけに、その都度、仏壇まで足を運ばなくてもよいローソク電池灯を提供する。【解決手段】少なくともローソク形状を有する灯部と、灯部に内蔵される発光源の電源と、電源のオン・オフを遠隔操作可能な遠隔制御手段と、灯部と遠隔制御手段を内蔵する台座部分とを備える。【選択図】図２
0003168564.tif 000002
【実用新案登録請求の範囲】
【請求項１】
少なくともローソク形状を有する灯部と、
前記灯部に内蔵される発光源の電源と、
前記電源のオン・オフを遠隔操作可能な遠隔制御手段と
前記灯部と前記遠隔制御手段を内蔵する台座部分とを備えることを特徴とするローソク電池灯。
【請求項２】
前記電源として、乾電池を用いる請求項１に記載のローソク電池灯。
【請求項３】
前記遠隔制御手段は、リモートコントロールユニットである請求項１または２に記載のローソク電池灯。
【請求項４】
前記灯部と、この灯部と前記台座部分との間は、ローソクとしての体裁を表すように構成された、請求項１〜３のいずれかに記載のローソク電池灯。
【請求項５】
前記灯部と、前記ローソクとしての体裁を表すように構成された部分（ローソク本体部分）と、前記台座部分とは、それぞれが別部品であり、これらが互いに分解・接続可能に構成されている、請求項１〜４のいずれかに記載のローソク電池灯。
【請求項６】
前記灯部と前記ローソク本体部分と前記台座部分とは、それぞれが、ねじ込みあるいは挿入（圧入）方式により分解・接続可能に構成されている、請求項５に記載のローソク電池灯。
【考案の詳細な説明】
【技術分野】
【０００１】
本考案は、仏壇の燈明のような、低消費電力の照明の点滅制御を行うのに最適な照明手段、特に、離れた位置からも点滅操作が可能な照明手段（以下、ローソク電池灯という）に関するものである。
【背景技術】
【０００２】
例えば、仏壇にあげる燈明は、以前はローソクのような火を使うものが用いられることが多かったが、近年は、安全上の配慮から、電気を電源とするタイプのものも用いられるようになってきている。
このような場合、通電用のコードを必要としない点から、電源としてはバッテリー（より具体的には、乾電池、蓄電池など）が用いられることも多くなっている（特許文献１参照）。
【先行技術文献】
【特許文献】
【０００３】
【特許文献１】特表２００９-５１０２９２号公報
【考案の概要】
【考案が解決しようとする課題】
【０００４】
特許文献１に示されるようなバッテリーを電源とするランタン（キャンプ時に用いられるような照明）は、携帯性が高く、消費電力が少なく、また、安全上からも好ましいものと言えるが、これを家庭内での仏壇の燈明に応用するだけでは、使用者の立場からは、必ずしも満足できるものではなかった。
ここでいう満足できない点というのは、例えば、通常は室内でも隅の方など、離れた場所に設置されることが多い仏壇は、燈明を点滅させる者がその操作をするためだけに、その都度、使用者（以下、操作者ともいう）が仏壇まで足を運ばなければならないという点である。
【課題を解決するための手段】
【０００５】
すなわち、使用者（操作者）は、燈明を点滅させるたびに、スイッチ操作を行うために仏壇の所に足を運ばなければならず、この動作は、年配者にとってはかなりの負担を強いるものといえることであった。
【０００６】
本考案は、このような使用者（操作者）の不満を解消することを目的とするものであって、使用者（操作者）が直接仏壇まで足を運ぶことなしに、燈明の点滅の操作を行うことを可能とするローソク電池灯を提供することにある。
【考案の効果】
【０００７】
上記目的を達成するために、本考案に係るローソク電池灯は、乾電池等の電池を電源とする燈明の点灯機構に、このローソク電池灯の点滅操作をリモートコントロール（以下、リモコンと略称する）で行うことを可能とするための遠隔操作機構を組み合わせることにより、取り扱い性を極めて向上させたものである。
【図面の簡単な説明】
【０００８】
【図１】本考案の一実施形態に係るローソク電池灯の正面図であり、（Ａ）はその正面図、（Ｂ）は同右側面図である。
【図２】本考案の一実施形態に係るローソク電池灯と、その操作に用いるリモコン送信機の相対的な配置状況を示す斜視図である。
【図３】本考案の一実施形態に係るローソク電池灯の本体部と、その操作に用いるリモコン送信機の内部構成の要部を示す機構説明図である。
【考案を実施するための形態】
【０００９】
本考案の一実施形態に係るローソク電池灯の全体構成を示す図である、図１において、（Ａ）は１０は本考案の一実施形態に係るローソク電池灯１０の正面図であり、（Ｂ）は同右側面図である。図中の符号１２は燈明の中心部である光源部を、１４はローソク本体部分を示している。また、符号１６は上述の光源部１２とローソク本体部分１４を支持する台座部分を示している。
【００１０】
ここで、上記光源部１２はその内部にＬＥＤ(Ｌight Ｅmitting Ｄiode)等の発光源を備えたものであり、光源部１２およびローソク本体部分１４は、乳白色等の光拡散性樹脂から構成されている。台座部分１４は、一般には、光源部１２およびローソク本体部分１４とは異なる材料で構成されていてもよいが、同じ材料で構成されていてもよい。
【００１１】
また、上記光源部１２とローソク本体部分１４および台座部分１６は、各部分がそれぞれ別部品で構成されていることが好ましい。これは、これらの部品を、ねじ込みあるいは挿入（圧入）等の方法により組み立てる構造としておくことにより、例えば、ローソク本体部分１４のみ長さの違うものを用いて組み立てることにより、異なる寸法の組み合せを容易に得ることができる利点に繋がるからである。
【００１２】
上述のローソク本体部分１４は、ここではローソクとしての体裁を表すとともに、上記光源部１２中のＬＥＤと後述する台座部分１６中の電源、スイッチ等を電気的に接続する配線を通す部分として機能させているものである。
このような組み立て（分解）を容易にするために、上記各部品を電気的結合あるいは解放する際には、全てが簡単なジャックによる結合・解放方式で構成されていることが好ましい。
【００１３】
図１（Ａ）、（Ｂ）において、符号１６ａは、ここで用いている光線式のリモコンスイッチのための光受光窓（図２参照）を示しており、符号１６ｂは本実施形態に係るローソク電池灯１０を、リモコン操作によらずに、このローソク電池灯１０を直接手動操作する際に用いるための、手動操作用スイッチを示している。
このスイッチ１６ｂは、つまみ１６ｂ１を移動領域１６ｂ２内で移動（摺動）させて、電源のオン・オフを行うように構成されている。
【００１４】
また、符号１６ｃは本実施形態に係るローソク電池灯１０のリモコン操作を無効にするための設定を行うための「リモコン・カット・スイッチ」ともいうべきスイッチであり、このスイッチをオフに設定しておけば、不用意に（あるいは、いたずら等により）リモコンが操作された場合にも、このローソク電池灯１０が点灯するという異常事態を予防することが可能になる。
このスイッチ１６ｃも、つまみ１６ｃ１を移動領域１６ｃ２内で移動（摺動）させて、リモコン操作のオン・オフ（有効・無効）を設定するように構成されている。
【００１５】
図３は、上記台座部分１６中に納められている、本実施形態に係るローソク電池灯の本体部１６と、その操作に用いるリモコン送信機３０との内部構成の要部を示す機構説明図である。
【００１６】
図３中、２０は上述の台座部分１６中に納められている機構部分（ローソク電池灯本体部）であり、このローソク電池灯本体部の制御全般を司るものである。ここで、２２はリモコン受信制御部、２４は電源としての乾電池、２６はリモコン受信制御部２２により制御されるスイッチ、２８は発光源としてのＬＥＤランプを示している。
なお、符号１６ｂは、前述したようにローソク電池灯１０を直接手動操作する際に用いるための、手動操作用スイッチを示しており、符号１６ｃは、リモコン操作のオン・オフ（有効・無効）を設定するためのリモコン動作設定用スイッチを示している。
【００１７】
また、図３中、符号３２は、上記ローソク電池灯本体部２０とは別体の、リモコン装置３０中のリモコン送信制御部を示している。このリモコン送信制御部３２は、このリモコン装置の制御全般を司るものであり、このローソク電池灯の点滅操作を行う操作者が、使用の都度、その保管位置から手にとってローソク電池灯１０の点滅操作を行うための、オン・オフスイッチ（３４および３６）をも備えている。
【００１８】
図３中の、上記ローソク電池灯本体部の機構部分２０、並びにリモコン送信機３０の内部構成に関しては、近年日常的に用いられる各種のリモコン操作機器において用いられるリモコン操作機構の構成に準じたものでよく、一般的な部品レベルで入手可能なものであるので、ここではこれ以上の説明は省略する。
【００１９】
なお、上記リモコン装置３０は、仏壇の燈明（具体的には、ローソク電池灯）の点灯操作を行う者が扱いやすい位置（予め決めたサイドテーブル上など）に配置しておき、操作の必要が生じたときに、操作者が、ここから取り出して、操作に使用する。
いうまでもなく、操作者は、リモコン装置３０の光出射窓３８を、上記ローソク電池灯１０の台座部分１６に設けられているリモコンスイッチの受光窓１６ａに向けて操作するようにする。
【００２０】
上述のように構成された本実施形態に係るローソク電池灯を採用した仏壇を使用する者は、ローソク電池灯を点滅させる必要が生じたときに、手動で操作する場合を除いて、リモコン装置３０を手にとって、点灯（または、消灯）の操作を行えばよい。
この操作は、テレビやエアコンのオン・オフ操作とまったく同様に行うことが可能であり、年配者にもきわめて容易に行うことが可能である。
【００２１】
実際の操作は、リモコン装置３０の光出射窓３８を仏壇の中のローソク電池灯２０（の受光窓１６ａ）に向けた状態で、リモコン装置３０のオン・オフスイッチ（３４または３６）を操作して、ローソク電池灯２０をオン（または、オフ）の押しボタンを操作すればよい。
操作はこれだけでよく、他には特に注意を要する点は無い。
【００２２】
また、通常の電池を用いる各種の機器と同様に、本実施形態に係るローソク電池灯を採用した仏壇を使用する場合にも、電池の消耗に注意することは必要であるが、ＬＥＤ発光源を用いている場合には、消費電力は極めて微弱であるので、一般的には、かなり長期にわたって気遣いなしに使用することが可能である。
【００２３】
なお、上記実施形態は、本考案の一例を示したものにすぎない。従って、例えば、上記実施形態においては電源として乾電池を用いた例を示したが、他の各種の小型の可搬型電源が利用し得ることはいうまでもない。
【００２４】
また、上記実施形態においては、ローソク本体部分１４を、乳白色等の光拡散性樹脂から構成した例を示したが、同様の印象を与え得るものであれば、他の各種の材料を用いることも可能である。
【００２５】
さらに、台座部分１６に設けた機構としては、ここでは最低限必要な要素のみを示したが、同様の制御を実現できるような別の機構を一緒に組み込んでもよいことはいうまでもはない。
また、台座部分１６に設けるスイッチ類の配置について、例えばこれを台座部分の上面に配置するようにして、より扱いやすくする態様も考えられる。
【産業上の利用可能性】
【００２６】
本実施形態に係るローソク電池灯を採用した仏壇を使用する場合には、乾電池等の電池を電源とする燈明の点灯機構に、このローソク電池灯の点滅操作をリモコンで行うことを可能とするための遠隔操作機構を組み合わせたことにより、取り扱い性を極めて向上させることが可能になったものである。
【符号の説明】
【００２７】
１０  ローソク電池灯
１２  光源部
１４  ローソク本体部分
１６  台座部分
１６ａ  受光窓
１６ｂ  手動操作用スイッチ
１６ｂ１  つまみ
１６ｂ２  移動領域
１６ｃ  リモコン設定用スイッチ
１６ｃ１  つまみ
１６ｃ２  移動領域
２０  ローソク電池灯本体部
２２  リモコン受信・制御部
２４  乾電池
２６  スイッチ
２８  ＬＥＤランプ
３０  リモコン装置
３２  リモコン送信・制御部
３４  オン用押しボタンスイッチ
３６  オフ用押しボタンスイッチ
３８  光出射窓
【図１】
0003168564.tif 000003
【図２】
0003168564.tif 000004
【図３】
0003168564.tif 000005